(57)【要約】【課題】ストラップに触れた感触に頼ることなく，ストラップの張力を目視で確認することができる張力表示器を提供する。【解決手段】張力表示器は、ハウジングの延出部（５、６）を通るストラップＳに装着可能なハウジング（１）を備える。このハウジング（１）内でバレル（１１）は横軸（Ａ）上に回転自在に装着される。バレル（１１）はストラップＳが通る通路（１２）を有する。バレル（１１）はその端部付近に、スロット（１５）を構成する一対の凸部（１６）が一体に形成されるディスク（１４）を有する。このスロット（１５）は板バネ（２１）と係合する。板バネ（２１）の弛緩状態では、通路（１２）は延出部（５、６）と整列せず、張力表示器を通るストラップ（Ｓ）が蛇行する。ハウジング（１）は窓（２３）を有し、この窓（２３）からバレル（１１）を目視できる。板バネ（２１）が弛緩したときに、バレル（１１）の「弛緩」部（２４）を窓（２３）から確認できる。ストラップ（Ｓ）が張力状態にあるときは、該ストラップ（Ｓ）が通路（１２）の当接部（２５）に当接することにより、直線状態を維持する。この時、バレル（１１）の「緊張」部（２６）が窓（２３）から確認できる。これら表示（２４、２６）のいずれが窓（２３）から視認できるかにより、ストラップ（Ｓ）の張力状態を評価することができる。【選択図】図２
2007537435.tif 000002
【特許請求の範囲】
【請求項１】
ハウジングと、該ハウジングに収納された回動部材と、該ハウジング及び該回動部材を貫通するストラップと、を備える張力表示器であって、
前記ハウジングが、
窓と；
前記ストラップを通す延出部と；を有し、
前記回動部材が、
回動中心軸と；
該回動中心軸から所定距離だけ離れて配置され、前記回動部材の少なくとも１つの位置で前記ハウジングの前記延出部と整列しない当接部と；
前記回動部材が、前記当接部と前記延出部とが整列しない位置又は整列する位置にあることを示す２つの表示と；
前記回動部材を前記整列しない位置に維持するスプリング部材と；を備え、
前記ストラップの弛緩状態では、前記回動部材は前記スプリング部材の付勢力により、前記当接部と前記延出部とが整列しない位置にあり、前記表示の一方が前記ストラップが弛緩状態であることを表示し、
前記ストラップの張力状態では、該ストラップの張力により、前記スプリング部材の付勢力に抗して前記回動部材が回動して、前記当接部と前記延出部とが整列する位置となり、前記表示の他方が前記ストラップが張力状態であることを表示することを特徴とする張力表示器。
【請求項２】
前記回動部材が、前記ハウジング内に回転自在に配置されたバレルであり、前記バレルが前記ストラップを通すための通路を有し、該通路の各端部を前記当接部とした、請求項１記載の張力表示器。
【請求項３】
前記バレルの断面が円形である、請求項２記載の張力表示器。
【請求項４】
前記スプリング部材が、付勢されないときは直線状態を維持し、前記バレルの回転により前記当接部と前記延出部とが整列する位置となったときには、付勢されてＳ字状に変形する、請求項２又は３記載の張力表示器。
【請求項５】
前記スプリング部材が板バネである、請求項１乃至４のいずれか一項に記載の張力表示器。
【請求項６】
前記スプリング部材が、捻りコイルバネ、引張コイルバネ、又は圧縮コイルバネである、請求項１乃至３のいずれか一項に記載の張力表示器。
【請求項７】
前記ハウジングの前記窓が、前記２つの表示を選択的に表示可能な単一の窓である、請求項１乃至６のいずれか一項に記載の張力表示器。
【請求項８】
前記ハウジングの前記窓が、前記２つの表示のそれぞれを表示可能な複数の窓である、請求項１乃至６のいずれか一項に記載の張力表示器。
【請求項９】
前記２つの表示がそれぞれ単一の構成部分として前記回動部材に設けられている、請求項１乃至８のいずれか一項に記載の張力表示器。
【請求項１０】
前記２つの表示が図形記号を含む、請求項１乃至９のいずれか一項に記載の張力表示器。
【請求項１１】
前記スプリング部材が、７５Ｎ以下のベルト張力に適応するよう設定される、請求項１乃至１０のいずれか一項に記載の張力表示器。
【請求項１２】
前記回動部材が７の字状部材であり、該７の字の面に直交する方向に所定の厚さを有する、請求項１記載の張力表示器。
【請求項１３】
前記スプリング部材が捻りコイルバネである、請求項１２記載の張力表示器。
【請求項１４】
請求項１乃至１３のいずれか一項に記載の張力表示器を含む自動車用子供拘束システム。
【請求項１５】
自動車の座席に取付け可能であり、前記張力表示器が子供用安全シートのストラップの張力を示すように配置される、請求項１４記載の自動車用子供拘束システム。
【発明の詳細な説明】
【技術分野】
【０００１】
本発明は、子供用安全シート(チャイルドシート)のストラップの張力を示すための張力表示器に関する。
【背景技術】
【０００２】
自動車の座席に取り付けるチャイルドシートでは、子供をシートに拘束するストラップ、及び／又は、チャイルドシートを車両内にシートを繋ぐストラップを、張力状態に保つことが要求される。
子供をチャイルドシートに拘束するストラップは、通常は主に肩ストラップであり、この肩ストラップに取り付けられた中央のストラップを引くことによって、肩ストラップが張力状態となる。
チャイルドシートを車両内にシートを繋ぐストラップは、従来のストラップ調整器で締めることによって張力状態となる。
【０００３】
しかしながら、従来の張力装置では、（ストラップに触れた）感触以外にユーザがストラップの張力を評価する手段を持っていなかった。
【０００４】
なお、本明細書において、「張力表示器」とは、少なくとも緩みの不在を示す装置を意味するものとする。
【発明の開示】
【発明が解決しようとする課題】
【０００５】
本発明は、ストラップの張力を示す張力表示器を提供することを目的とする。
【課題を解決するための手段】
【０００６】
本発明は、ハウジングと、該ハウジングに収納された回動部材と、該ハウジング及び回動部材を貫通するストラップと、を備える張力表示器において、前記ハウジングが、窓と、前記ストラップを通す延出部と、を有し；前記回動部材が、回動中心軸と、該回動中心軸から所定距離だけ離れて配置され、前記回動部材の少なくとも１つの位置で前記ハウジングの前記延出部と整列しない当接部と、前記回動部材が、前記当接部と前記延出部とが整列しない位置又は整列する位置にあることを示す２つの表示と、前記回動部材を前記整列しない位置に維持するスプリング部材と、を備え；前記ストラップの弛緩状態では、前記回動部材は前記スプリング部材の付勢力により、前記当接部と前記延出部とが整列しない位置にあり、前記表示の一方が前記ストラップが弛緩状態であることを表示し；前記ストラップの張力状態では、該ストラップの張力により、前記スプリング部材の付勢力に抗して前記回動部材が回動して、前記当接部と前記延出部とが整列する位置となり、前記表示の他方が前記ストラップが張力状態であることを表示することを特徴とする。
【０００７】
通常、前記ストラップが弛緩状態のときは、前記張力表示器は前記ストラップに沿って任意の見易い位置に移動させることができると好ましい。
【０００８】
前記ハウジングの前記窓が、前記２つの表示を選択的に表示可能な単一の窓であると、又は、前記２つの表示のそれぞれを表示可能な複数の窓であると好ましい。さらに、前記２つの表示がそれぞれ単一の構成部分として前記回動部材に設けられてもよい。また、前記２つの表示が図形記号を含むと好ましい。
前記２つの表示について、より具体的には、ストラップの弛緩状態を示す語として「弛緩（ＳＬＡＣＫ）」、及び張力状態を示す語として「緊張（ＴＥＮＳＩＯＮＥＤ）」を用いることができるが、これらを現す図形記号であってもよい。さらに、弛緩状態を赤色、張力状態を緑色で表してもよい。
【０００９】
前記回動部材が、前記ハウジング内に回転自在に配置されたバレルであり、前記バレルが前記ストラップを通すための通路を有し、該通路の各端部を前記当接部とすると好ましい。また、前記バレルの断面が円形であると好ましい。しかし、前記回動部材をバレルとして構成することは必要条件ではない。
【００１０】
前記回動部材が７字状部材であり、該７の字の面に直交する方向に所定の厚さを有すると好ましい。この場合、７の字の足元にピボットを設け、前記ハウジングに対して回動自在とし、７の字の短肢は、前記窓から視認可能な表示器構成部分とすることができる。さらに、７の字の幹部には、前記当接部を提供するアパーチャを設けることができる。この代替例では、バネはピボットにおける捻りコイルバネとすることができる。
【００１１】
前記スプリング部材が、付勢されないときは直線状態を維持し、前記バレルの回転により前記当接部と前記延出部とが整列する位置となったときには、付勢されてＳ字状に変形すると好ましい。
【発明の効果】
【００１２】
以上の本発明に係る張力表示器によれば、ストラップに触れた感触に頼ることなく，該ストラップの張力状態を目視で確認することができる。
【発明を実施するための最良の形態】
【００１３】
図１に示すように、張力表示器は、挟着又は接着された上下プラスチック成形品（２、３）から成るハウジング１を有する。そして、このハウジング１は中心体４及び２つの延出部（５、６）を有し、ストラップＳが通る開口（７、８）が中心体４に対向して形成されている。
【００１４】
図２に示すように、ハウジング１内には、バレル１１（回動部材）が、横軸Ａ（図１）を中心に回転自在に、配置されている。より具体的には、バレル１１は、ハウジング１の内部が形成する略円筒形の空洞９の中に、軸Ａを中心に回転する、回転体として配置されている。バレル１１は、ハウジング１と同様に形成される、２部分を接合してなる成形品である。バレル１１は、ストラップＳを通す通路１２を備えており、さらに、ストラップＳの長手方向に直交する方向の各側部に、スロット１５を形成する一対の凸部１６が一体に設けられたディスク１４を有している。各ディスク１４の、軸Ａに直交する各側面１８からは、軸Ａと平行に、かつ、ディスク１４の最外周面と同一平面を形成するように、延長部１７が延出している（図５）。そして、一対の凸部１６及び延長部１７が、ハウジング１の各側壁部１９の内面に対向している（図５）。
【００１５】
スロット１５は、図４に示すように、ハウジング１に形成された凹部２２により両端支持状態で保持されるスプリング２１の中心部分に対向するように、設けられている。
スプリング２１の自然状態では、図３に示すように、通路１２は延出部（５、６）と同一平面上に整列せず、ストラップＳは、図示のように、蛇行する。
【００１６】
ハウジング１は、バレル１１を目視する窓２３を備えている。スプリング２１の弛緩状態で窓２３から見えるバレル１１の位置２４を赤色としてもよい。
【００１７】
ストラップＳが張力状態にあるときに、その張力は、通路１２の端部２５（当接部）に当接するストラップＳの作用によって、ベルトをまっすぐにする（図２）。これにより、バレル１１の上記位置２４とは異なる位置２６が現れる。なお、この位置２６を緑色としてもよい。
スプリング２１の諸条件は、一般的には７５Ｎ未満程度の比較的低いベルト張力でストラップＳが弛みのない直線状態を維持できるように、設定されると好ましい。ストラップＳをこのように設定すること、すなわち低いベルト張力でストラップＳを張力状態に維持しておけば、ストラップＳの張力が増す事故時であっても、ストラップＳがすでに所定の張力状態にあるので、チャイルドシートの意図しない移動を防止することができる。
【００１８】
上述の構成により、窓２３から赤色を視認したときはストラップＳが弛んだ状態であり、緑色を視認したときはストラップＳは張力状態にあると、評価することができる。また、色を段階的に変化させてもよく、さらに、張力の数値尺度を含める構成としてもよい。
【００１９】
また、張力表示器には、ストラップＳの長手方向に取付部が無いので、ストラップＳが弛んだ状態では、張力表示器をストラップに沿って移動させることができる。
【００２０】
本発明は、上述した実施形態に限定されるものではないない。例えば、ハウジング１の側壁１９には、バレル１１の枢支配置が可能となるように、バレル１１の延長部１７に対し相補形の構成部を設けることができる。
【００２１】
また、スプリング２１の代わりに、代替的ばね、例えば捻りコイル、引張コイル、又は圧縮コイルばねを、バレル及びハウジングにおける適切な配置構成物と共に、使用してもよい。
【図面の簡単な説明】
【００２２】
【図１】本発明に係る張力表示器の斜視図である。
【図２】図５のＩＩ−ＩＩ線における、ストラップＳが張力状態にある張力表示器の中心断面図である。
【図３】ストラップＳが弛んだ状態での、図５のＩＩ−ＩＩ線における、張力表示器の中心断面図である。
【図４】図５のＩＶ−ＩＶ線における、スプリング２１の取付け状態断面図である。
【図５】図４のＶ−Ｖ線における張力表示器の断面図である。
【符号の説明】
【００２３】
１  ハウジング
５、６  延出部
１１  バレル（回動部材）
２１  スプリング部材
２３  窓
２４、２６  ２つの表示
２５  当接部
Ａ  回動中心軸
Ｓ  ストラップ
【図１】
2007537435.tif 000003
【図２】
2007537435.tif 000004
【図３】
2007537435.tif 000005
【図４】
2007537435.tif 000006
【図５】
2007537435.tif 000007
【国際調査報告】
2007537435.tif 000008
2007537435.tif 000009
2007537435.tif 000010